(57)【要約】【課題】ストロークを可変する調整ダイヤルに設けてある摘み背面の山型形状を大きな山型形状にして短絡接点オン時における接点の不安定な状態を回避したトリガースイッチを提供する。【解決手段】トリガーの引き込み操作により電源可動接点及び短絡可動接点をオンに制御するトリガーに連動して動く接点摺動部材と、前記トリガーのストローク量を調整するストローク調整部材と、前記トリガーの前面に摘みの背面に設けた山型形状にクリック感を醸し出すダイヤル押圧部が当接された状態で配置され、前記ストローク調整部材と螺合の関係で係合する調整ダイヤルと、を備え、前記調整ダイヤルは、摘みの背面に設けた山型形状を最初に小さな山型形状の第１の山型形状とし、中間から大きな山型形状の第２の山型形状にしたことである。【選択図】  図２
2014197469.tif 000002
【特許請求の範囲】
【請求項１】
トリガーの引き込み操作により電源可動接点及び短絡可動接点をオンに制御するトリガーに連動して動く接点摺動部材と、
前記トリガーのストローク量を調整するストローク調整部材と、
前記トリガーの前面に配され、摘みの背面に設けた山型形状にクリック感を醸し出すダイヤル押圧部が当接された状態で配置され、前記ストローク調整部材と螺合の関係で係合する調整ダイヤルと、
を備え、
前記調整ダイヤルは、摘みの背面に設けた山型形状を最初に小さな山型形状の第１の山型形状とし、中間から大きな山型形状の第２の山型形状にしたことを特徴とするトリガースイッチ。
【請求項２】
前記大きな山型形状の第２の山型形状は、摘みを回動させて前記短絡可動接点をオンさせるときの前後になるように設けたことを特徴とする請求項１に記載のトリガースイッチ。
【請求項３】
前記大きな山型形状の第２の山型形状は、高さを同じくして、傾斜面を長くしたことを特徴とする請求項１に記載のトリガースイッチ。
【発明の詳細な説明】
【技術分野】
【０００１】
本発明は、トリガースイッチに関し、詳しくは、トリガーに備えてあるダイヤル式のストローク調整手段における短絡可動接点オンストローク周辺において、ダイヤルのクリック感を醸し出すダイヤルの山型形状に工夫を施してダイヤルが途中の不安定な位置で止まらないようにしたトリガースイッチに関する。
【背景技術】
【０００２】
従来技術のトリガースイッチは、トリガーの引き込みを調整するための調整ダイヤルが備えられており、この調整ダイヤルを回転させることでトリガーのストローク量を調整するというものである。例えば、通常は７．５ｍｍトリガーを引くことができるが、調整ダイヤルを回転させることによって３．２ｍｍまでしか引けないように規制することができる。
【０００３】
この従来技術におけるトリガースイッチは、図１０に示すように、ロックボタン１１９を有するスイッチ本体１２０と、切替レバー１１４を備えた切替スイッチ部１１６と、トリガー１２３と、トリガー１２３に備えた調整ダイヤル１３７とから大略構成されている。
【０００４】
調整ダイヤル１３７は、特に図１１に示すように、円盤形状に形成した摘み１５１とこの摘み１５１の中心位置から突出して形成した棒状の螺旋状に形成した調整バー１５２と、調整バー１５２の基部側にはトリガー１２３に設けてあるダイヤル挿入穴１３２に係合する係合溝１５３を備え、この係合溝１５３を形成する圧入リブ１５４を内側に備えている。
この圧入リブ１５４をトリガー１２３のダイヤル挿入穴１３２に挿入するときにダイヤル挿入穴１３２の内部に設けた係合部に圧入させて嵌合させることで調整ダイヤル１３７を回転自在に係合する。
【０００５】
そして、この摘みの部分の背面に設けたクリック感を醸し出す山型形状１５５は、放射状に合計して１６個の山型形状１５５が等間隔に設けられている。
この山型形状１５５にトリガー１２３のダイヤル押圧部（オシボ）１３４を当接状態で圧入させることにより、圧入後においては、常時山型形状１５５をダイヤル押圧部（オシボ）１３４が谷１５７の部分で押圧している状態となる。
【先行技術文献】
【特許文献】
【０００６】
【特許文献１】特開平７−３２６２４９号公報
【発明の概要】
【発明が解決しようとする課題】
【０００７】
しかしながら、従来技術で説明したトリガースイッチにおいては、調整ダイヤルのダイヤル裏側に山を設けてダイヤルのクリック感を出しているが、従来における山形状は等間隔・同形状であるために、短絡可動接点オン直後の接点圧力が弱い状態で、トリガーが保持された場合、振動・衝撃により接点間にアークが発生し接点溶着等の不良が発生するという問題がある。
【０００８】
従って、調整ダイヤル付きのトリガースイッチにおいて、トリガーに取付けられているストローク調整手段を構成する調整ダイヤルの回転が特に短絡可動接点オン直後位置の制御不安定な位置で止まらないようにすることを解決しなければならない課題を有する。
【課題を解決するための手段】
【０００９】
上記課題を解決するために、本願発明のトリガースイッチは、次に示す構成にすることである。
【００１０】
（１）トリガースイッチは、トリガーの引き込み操作により電源可動接点及び短絡可動接点をオンに制御するトリガーに連動して動く接点摺動部材と、
前記トリガーのストローク量を調整するストローク調整部材と、
前記トリガーの前面に摘みの背面に設けた山型形状にクリック感を醸し出すダイヤル押圧部が当接された状態で配置され、前記ストローク調整部材と螺合の関係で係合する調整ダイヤルと、
を備え、
前記調整ダイヤルは、摘みの背面に設けた山型形状を最初に小さな山型形状の第１の山型形状とし、中間から大きな山型形状の第２の山型形状にしたことである。
（２）前記大きな山型形状の第２の山型形状は、摘みを回動させて前記短絡可動接点をオンさせるときの前後になるように設けたことを特徴とする（１）に記載のトリガースイッチ。
（３）前記大きな山型形状の第２の山型形状は、高さを同じくして、傾斜面を長くしたことを特徴とする（１）に記載のトリガースイッチ。
【発明の効果】
【００１１】
本発明のトリガースイッチは、トリガーに装着した調整ダイヤルによりストローク量を調整するもので、摘みの背面に設けた山型形状を最初は小さな山型形状にし、略中間から大きな山型形状にしたことにより、調整により短絡可動接点オン直後位置でダイヤルが留まることなく安定した状態でオン動作できる。
【図面の簡単な説明】
【００１２】
【図１】本願発明に係るトリガースイッチの外観を示す全体斜視図である。
【図２】同、分解した全体斜視図である。
【図３】同、蓋部を外しトリガーを外した斜視図である。
【図４】同、調整ダイヤルを示す斜視図である。
【図５】同、調整ダイヤルの背面からみた平面図である。
【図６】同、調整ダイヤルが初期状態のときの断面図である。
【図７】同、調整ダイヤルが初期状態のときにトリガーが引き込まれたときの断面図である。
【図８】同、調整ダイヤルが中間位置まで回動したときの断面図である。
【図９】同、調整ダイヤルが中間位置まで回動したときにトリガーが引き込まれたときの断面図である。
【図１０】従来技術におけるトリガースイッチの外観を示す斜視図である。
【図１１】従来技術における調整ダイヤルを示す斜視図である。
【発明を実施するための最良の形態】
【００１３】
本願発明に係るトリガースイッチの実施形態について、図面を参照して説明する。  
【００１４】
本発明に係るトリガースイッチは、図１及び図２に示すように、上部位置に正回転或いは逆回転に切り替える切替レバー１４を備え、ケース１１と蓋部１２とで構成する本体の内部空間に素子パッケージ１３を収納する空間と接点機構１５を収納する空間を有し、トリガー２３の引き込み操作により電源可動接点１５ｂ及び短絡可動接点１５ａをオンに制御するトリガー２３に連動して動く接点摺動部材２２と、トリガー２３のストローク量を調整するストローク調整部材４１と、トリガー２３の前面に配され、摘み５１の背面に設けた山型形状３８、３９にクリック感を醸し出すダイヤル押圧部３４が当接された状態で配置され、ストローク調整部材４１と螺合の関係で係合する調整ダイヤル３７とを備えている。
この接点機構１５には短絡可動接点１５ａと電源可動接点１５ｂが存在し、それぞれの上部面を摺動する接点押圧部（オシボ）２１ａ、２１ｂによって固定接点と可動接点とのオンオフを制御する。
【００１５】
接点押圧部（オシボ）２１ａ、２１ｂを摺動させる接点摺動部材２２は、トリガー２３にネジにより固定され、トリガー２３の引き込みに連動して摺動するもので、接点機構１５内部において摺動する方向に位置をずらして設けた２つのオシボ（接点押圧部）２１ａ、２１ｂを備えた接点摺動部２４を有し、この接点摺動部２４は、操作軸２５に連結して本体外部に延設された構造となっている。延設された操作軸２５の先端側にはストローク調整部材４１の貫通孔４２を収納する円筒形状に形成した調整部材収容部２６と、調整部材収容部２６の外側にトリガー２３と固定する固定部２８を設けた構造となっている。
【００１６】
トリガー２３は、手で引き込む際に直接指をあてて使用するもので窪んだ前面側に、接点摺動部材２２の固定部２８と連結する連結穴３１を備え、略中央位置に調整ダイヤル３７を挿入するダイヤル挿入穴３２を備え、ダイヤル挿入穴３２の横側位置に調整ダイヤル３７の背面に設けた山型形状３８、３９に当接してクリック感を醸し出すオシボであるダイヤル押圧部３４を備えた構成になっている。
ダイヤル押圧部３４は、特に図６に示すように、山型形状３８、３９に当接して節度を出すもので、直接山型形状３８、３９に当接する当接部３４ｂを備え、この当接部３４ｂの背後にスプリング３４ａを係合させることにより常時当接部３４ｂを山型形状３８、３９に押圧させた構造となっている。
【００１７】
ストローク調整部材４１は、中心軸に調整ダイヤル３７を嵌め込む螺旋状に形成された貫通孔４２を備え、この貫通孔４２が接点摺動部材２２の調整部材収容部２６に摺動自在に収納され、貫通孔４２に連設して貫通孔４２と同一方向に延設したストッパーバー４３を設けた構造となっている。更に、貫通孔４２を支持する基部側の端部に蓋部１２の端部のストッパー部４５に係止する係止部４６を設けた構造となっている。ストッパーバー４３の中央位置にはロックボタン１９に係合するストッパーホール４４が設けられている。
調整部材収容部に収容された貫通孔にはトリガー２３を取付けた外部から調整ダイヤル３７の螺旋状に形成された調整バー５２が螺合される。
【００１８】
調整ダイヤル３７は、特に図４に示すように、円盤形状に形成した摘み５１とこの摘み５１の中心位置から突出して形成した棒状の螺旋状に形成した調整バー５２と、調整バー５２の基部側にはトリガー２３に設けてあるダイヤル挿入穴３２（図２参照）に係合する係合溝５３を備え、この係合溝５３を形成する圧入リブ５４を内側に備えている。
【００１９】
この圧入リブ５４をトリガー２３のダイヤル挿入穴３２に挿入するときにダイヤル挿入穴３２の内部に設けた係合部５６（図２参照）に圧入させて嵌合させることで調整ダイヤル３７を回転自在に係合する。
【００２０】
そして、本願発明の調整ダイヤル３７の部分の背面に設けたクリック感を醸し出す山型形状３８、３９に変化を持たせてストロークの調整において短絡可動接点１５ａがオンするときに不安定にならないようにしたものである。山型形状３８、３９は、小さな山型形状３８（第１の山型形状）と大きな山型形状３９（第２の山型形状）からなり、小さな山型形状３８は、山の部分に比べて谷の部分が略倍程度広く形成されて合計６個の山からなる。大きな山型形状３９は、小さな山型形状３８に比べて略３倍の山と同じ広さの谷３９ａからなり、山の傾斜部分を広くして、山の部分での中途半端な位置での留まりをなくす構造で、合計４個の山からなる。
この山型形状３８、３９は、谷３８ａ、３９ａの部位が背面に設けた一定幅の外周の外郭４０よりも低く設定されている。そのため、オシボであるダイヤル押圧部３４の当接部３４ｂが山３８ａ、３９ａに収容されているときは谷３８ａ、３９ａから容易に逸脱できない構造となっている。
この大きな山型形状３９をした位置が後述する接点摺動部２４による短絡可動接点１５ａをオンする位置関係に直結している。
【００２１】
すなわち、大きな山型形状３９にダイヤル押圧部（オシボ）３４がさしかかり頂点をめざして動くことになるが、クリック感を出さずに途中で摘み５１の回転を止めてしまった場合でも、例えば山の中腹で止まっていても傾斜によって谷３９ａ底に誘導される。そのため、中途半端な位置、例えば、山の頂点付近で留まるといった現象が回避されるので、不安定な状態での引き込みによる短絡可動接点１５ａの接触を回避することができるのである。更に大きな山型形状３９にして、山の数を減らすことで、山越えをする回数を減らすことができ、不安定になる条件を減らすことができるのである。
【００２２】
このような構造からなる各部品を組み立てると、先ず、ケース１１に素子パッケージ１３及び可動接点１５ａ、１５ｂを収容し、接点摺動部材２２にストローク調整部材４１の貫通孔４２を調整部材収容部２６に差し込んで可動接点上部にのせ、接点摺動部材２２に復帰スプリング４７を係合させる。そして、接点摺動部材２２の固定部２８にトリガー２３を取付け、ネジで固定する。そして、調整ダイヤル３７をトリガー２３のダイヤル挿入穴３２に係合させて、ダイヤル挿入穴３２の奥に設けた係合部５６に調整ダイヤル３７の圧入リブ５４を圧入して差し込んで係合溝５３で係合部５６を支持するようにして抜け止めさせた状態にして調整バー５２を貫通孔４２に螺合させる。このとき、トリガー２３のダイヤル押圧部（オシボ）３４が調整ダイヤル３７の背面の山型形状３８に当接させた状態で圧入させるため、圧入後においては、常時山型形状をダイヤル押圧部（オシボ）３４の当接部３４ｂが押圧している状態となる。
【００２３】
そうすると、調整ダイヤル３７はトリガー２３に抜け止めされた状態で回動自在に装着され、調整バー５２が貫通孔４２に螺合しているため摘み５１を回動させることで背面の山型形状３８、３９にダイヤル押圧部３４の当接部３４ｂが当接してクリック感を醸し出すと共にストローク調整部材４１を調節してトリガー２３のストロークを調整することができる。
【００２４】
次に、調整ダイヤル３７が回動していなく最少の位置の場合、すなわち、ストロークが最大に引き込むことができる状態のときは、図６及び図７に示すように、調整ダイヤル３７がトリガー２３から抜けないように嵌合されて取付けられ、調整ダイヤル３７の調整バー５２が接点摺動部材２２の調整部材収容部２６に摺動自在に収納されている貫通孔４２に螺旋状に嵌まり込んだ状態であるときに、摘み５１を回動させて最少位置、即ち、ダイヤル押圧部（オシボ）３４の当接部３４ｂをスタート位置から最初の谷３９ａに位置させる。そうすると、調整バー５２に螺合している貫通孔４２が一番摘み５１寄りに引かれるため、トリガー２３と一緒に動くストローク調整部材４１の係止部４６が蓋部１２のストッパー部４５と一番離れた位置関係になる。この状態でトリガー２３を引き込むと、図７に示すように、トリガー２３を引き込むことで、最大のストロークを得ることができ、接点摺動部材２２の接点押圧部（オシボ）２１ａが短絡可動接点１５ａの上面を摺動して切替部を通過したときに短絡可動接点１５ａがオン状態に反転し、更に接点押圧部（オシボ）２１ａがトリガー２３の引き込みに応じて短絡可動接点１５ａの上部面を摺動する。そして、更にトリガー２３が引き込まれて係止部４５がストッパー部４６に押し当てられたときに図に示す位置に接点押圧部（オシボ）２１ａが到達しているために短絡可動接点１５ａが安定した接点状態を維持することができる。
【００２５】
次に、調整ダイヤル３７を回動させて、スタート位置から略半分程度回動させた場合、すなわち、ストロークが半分程度になった場合には、図８及び図９に示すように、摘み５１を回動させ、接点押圧部（オシボ）３４を最初の大きな山型形状３９を乗り越えた谷３９ａの部分に位置させる。
【００２６】
そうすると、調整バー５２に螺合している貫通孔４２が摘み５１から離れ、それに伴ってストローク調整部材４１も摘み５１から離れよりストッパー部４５に接近した位置関係になる。この状態でトリガー２３を引き込むと、図９に示すように、略半分のストロークを得ることができ、接点摺動部材２２の接点押圧部（オシボ）２１ａが短絡可動接点１５ａの上面を摺動して切替部を通過したときに短絡可動接点１５ａがオン状態に反転し、更に接点押圧部（オシボ）２１ａがトリガー２３の引き込みに応じて短絡可動接点１５ａの上部面を摺動するが、反転した位置近傍で接点押圧部（オシボ）２１ａが短絡可動接点１５ａをオン状態に維持する。このとき、即ち、接点押圧部（オシボ）２１ａが反転する近傍位置で短絡可動接点１５ａをオン状態に維持するときに、摘み５１のダイヤルが不安定な状態になっていると、そのぶんストロークの制御量が微妙に変化し、それはトリガー２３の引き込みに連動して動く接点押圧部（オシボ）２１ａが微妙に短絡可動接点１５ａの上面で動くことにより、接点押圧部（オシボ）２１ａが反転位置近傍で不安定な動きとなるためそれが短絡可動接点１５ａが反転したときに短絡可動接点１５ａの接点状態に悪影響を与える。本願発明は、このような状態を回避するため、接点押圧部（オシボ）２１ａが反転する位置近傍にいるときには摘み５１のダイヤル押圧部（オシボ）３４の当接部３４ｂが山型形状３９にのるという不安定な状態にならないようにしたものでスムーズに山からおりて谷３９ａで位置するように山型形状を変えたことによる。
なお、このトリガースイッチは、ドリル等の電動工具に適用することができる。
【産業上の利用可能性】
【００２７】
トリガーに装着した調整ダイヤルによりストローク量を調整するもので、摘みの背面に設けた山型形状を最初は小さな山型形状にし、略中間から大きな山型形状にしたことにより、調整により短絡可動接点オン直後位置でダイヤルが留まることなく安定した状態でオン動作できるトリガースイッチを提供する。
【符号の説明】
【００２８】
１１    ケース
１２    蓋部
１３    素子パッケージ
１４    切替レバー
１５    接点機構
１５ａ  短絡可動接点
１５ｂ  電源可動接点
１７    可動接点
１８    固定接点
１９    ロックボタン
２１ａ  接点押圧部（オシボ）
２１ｂ  接点押圧部（オシボ）
２２    接点摺動部材
２３    トリガー
２４    接点摺動部
２５    操作軸
２８    固定部
３１    連結穴
３２    ダイヤル挿入穴
３４    ダイヤル押圧部（オシボ）
３７    調整ダイヤル
３８    小さな山型形状（第１の山型形状）
３８ａ  谷
３９    大きな山型形状（第２の山型形状）
３９ａ  谷
４０    外郭
４１    ストローク調整部材
４２    貫通孔
４３    ストッパーバー
４４    ストッパーホール
４５    ストッパー部
４６    係止部
４７    復帰スプリング
５１    摘み
５２    調整バー
５３    係合溝
５４    圧入リブ
５６    係合部
【図１】
2014197469.tif 000003
【図２】
2014197469.tif 000004
【図３】
2014197469.tif 000005
【図４】
2014197469.tif 000006
【図５】
2014197469.tif 000007
【図６】
2014197469.tif 000008
【図７】
2014197469.tif 000009
【図８】
2014197469.tif 000010
【図９】
2014197469.tif 000011
【図１０】
2014197469.tif 000012
【図１１】
2014197469.tif 000013